(57)【特許請求の範囲】
【請求項１】
送水ポンプの配管取付用の連結口に取り付けて該連結口を閉塞させる蓋体であり、
前記連結口に取り付けられる台座部と、
前記台座部に設けられ、前記送水ポンプ内部の流体を加熱する加熱器を着脱可能に取り付ける取付座と、を備えていることを特徴とする加熱器取付座付き蓋体。
【請求項２】
前記取付座は、前記連結口に取り付けられる台座部に、該台座部から突出した状態で設けられ、
前記台座部を前記連結口に取り付けると、前記取付座が、前記連結口の開口部内に進入した状態となることを特徴とする請求項１に記載の加熱器取付座付き蓋体。
【請求項３】
前記取付座は、外周面に、凹凸が設けられていることを特徴とする請求項２に記載の加熱器取付座付き蓋体。
【請求項４】
前記取付座は、前記台座部を前記連結口に取り付けると、該連結口内部の中心からずれた位置に配置されるように設けられていることを特徴とする請求項２又は３に記載の加熱器取付座付き蓋体。
【請求項５】
前記台座部は、前記送水ポンプに設けられた複数の前記連結口に取り付け可能で、前記台座部を前記複数の連結口のいずれかに取り付け、前記送水ポンプの所望の連結口を閉塞可能としたことを特徴とする請求項１〜４のいずれか１項に記載の加熱器取付座付き蓋体。
【請求項６】
前記台座部は水抜き孔を備え、前記台座部を取り付けた前記連結口の内部を、前記水抜き孔により外部に連通可能としたことを特徴とする請求項１〜５のいずれか１項に記載の加熱器取付座付き蓋体。
【請求項７】
前記台座部を、金属、もしくは耐熱性樹脂から形成したことを特徴とする請求項１〜６のいずれか１項に記載の加熱器取付座付き蓋体。
【請求項８】
前記加熱器は、自己温度制御発熱体であることを特徴とする請求項１〜７のいずれか１項に記載の加熱器取付座付き蓋体。
【請求項９】
少なくとも３つの配管取付用の連結口を有する送水ポンプの前記連結口のいずれかに取り付けられ、該連結口を閉塞する台座部と、
前記台座部に設けられ、前記送水ポンプ内部の流体を加熱する加熱器を着脱可能に取り付ける取付座とを備えていることを特徴とする加熱器取付座付き蓋体。
【発明の詳細な説明】
【技術分野】
【０００１】
本発明は、送水ポンプの連結口のフランジ等に取り付け、連結口を閉塞させるとともに、取付座に加熱器を取り付け、送水ポンプ内部を加熱できる加熱器取付座付き蓋体に関する。
【背景技術】
【０００２】
冬季等のように送水ポンプ内で水が凍結するおそれがある場合、送水ポンプや配管の途中に加熱装置を設け、送水ポンプ内部の水を加熱して、内部での水の凍結を防止することが行われている（例えば、特許文献１参照）。一方、軽量化やコスト削減等のため、近年外枠体やカバー部分等に合成樹脂材料を用いた送水ポンプが知られている。
【０００３】
また送水ポンプは、吸水管や送水管が連結される連結口を複数備え、連結口を選択して吸水管や送水管を取り付け、配管を無理に取り回すことなく各管が送水ポンプに連結できるようにしている。そして、吸水管や送水管等の配管が接続されない連結口には、閉塞用の蓋体をねじ等で取り付け、連結口を閉塞させている。
【先行技術文献】
【特許文献】
【０００４】
【特許文献１】特開平１０−２３１５４３号公報
【発明の概要】
【発明が解決しようとする課題】
【０００５】
上記した送水ポンプや蓋体には、次のような問題があった。すなわち、外枠体等に合成樹脂材を用いた送水ポンプで、加熱装置を合成樹脂材部分に取り付けると、加熱により合成樹脂材である外枠体が変質したり、変形や溶融等を引き起こすおそれがある。
【０００６】
また合成樹脂材は一般に熱伝導性が低いため、取り付けられた加熱装置から加熱しても、送水ポンプ内部の水が十分に加熱されず、加熱装置の凍結防止機能が有効に作用しないことが考えられる。更に加熱装置が小さい場合、送水ポンプの広い範囲が加熱されず、一部の箇所の温度のみが限定的に上昇してしまうことがある。一方送水ポンプを広く加熱しようとすると、加熱装置が複数に及んだり大型化したり、使用電力が大きくなってコストが増大し、又取付作業に手間がかかることとなっていた。
【０００７】
本発明は上記課題を解決し、構成が簡易で、新たな部品等を必要とせず、送水ポンプの連結口に取り付けて閉塞ができ、かつ合成樹脂材が使用されていても加熱器を取り付けて、凍結防止ができる送水ポンプ用の加熱器取付座付き蓋体を提供することを目的とする。
【課題を解決するための手段】
【０００８】
前記課題を解決し、目的を達成するために本発明の加熱器取付座付き蓋体を次のように構成した。
【０００９】
送水ポンプの配管取付用の連結口に取り付けられ、連結口を閉塞させる蓋体であり、記連結口に取り付けられる台座部と、台座部に設けられ、加熱器を着脱可能に取り付ける取付座とを備え、加熱器が、取付座に送水ポンプ内部の流体を加熱可能に取り付けられることとした。
【発明の効果】
【００１０】
本発明によれば、構成が簡易で、新たな部品や加工等を必要とせず、送水ポンプの連結口に取り付けて連結口を閉塞ができ、かつ取付座に取り付けた加熱器により、送水ポンプに合成樹脂材が使用されていても内部の水の凍結防止が可能となる。
【図面の簡単な説明】
【００１１】
【図１】本発明の第１の実施形態にかかる加熱器取付座付き蓋体を示す側面図。
【図２】同加熱器取付座付き蓋体を示す正面図。
【図３】同加熱器取付座付き蓋体を示す裏面図。
【図４】同加熱器取付座付き蓋体の使用例を示す断面図。
【図５】加熱器取付座付き蓋体を用いた送水ポンプの一例を示す正面図。
【図６】本発明の第２の実施形態にかかる加熱器取付座付き蓋体を示す側面図。
【図７】同加熱器取付座付き蓋体を示す正面図。
【図８】本発明の第３の実施形態にかかる加熱器取付座付き蓋体を示す側面図。
【図９】同加熱器取付座付き蓋体の使用例を示す断面図。
【図１０】本発明の第４の実施形態にかかる加熱器取付座付き蓋体を示す正面図。
【図１１】同加熱器取付座付き蓋体を示す一部断面側面図。
【図１２】同加熱器取付座付き蓋体の使用例を示す断面図。
【発明を実施するための形態】
【００１２】
本発明の第１の実施形態にかかる送水ポンプの加熱器取付座付き蓋体１０について説明する。図１〜図４は、加熱器取付座付き蓋体１０を示す図である。
【００１３】
図１に、加熱器取付座付き蓋体１０を示す。加熱器取付座付き蓋体１０は、金属製で、図２にも示すように台座部１２と、取付座１４と、加熱器１６（図４参照）等を備えて構成されている。台座部１２は、後述する送水ポンプ３０の吐出口（連結口）３８等に対応した形状を有する板状部材で、両側にボルト孔１８が設けられている。台座部１２は、ボルト孔１８を介して吐出口３８等に取り付けると、吐出口３８等を液密に閉塞するように形成されている。
【００１４】
取付座１４は、台座部１２の中央に設けられた有頭筒状の部材で、図１又は図３に示すように吐出口３８の開口径より細い外径を有し、内側には図２に示すように円筒形の収納室２２が設けられている。収納室２２は、加熱器１６の外径に等しい内径を有し、加熱器１６を収納するのに十分な深さ幅を有している。
【００１５】
加熱器１６は、図４に示すように円筒状で、通電により発熱する発熱体を内部に備え、収納室２２内に適度な抵抗感をもって収納室２２の奥まで挿し入れて取り付けられる。加熱器１６には、制御回路を介して電源が接続し、温度センサからの計測結果に基づき適宜電源がオンオフされる。
【００１６】
なお、加熱器１６の発熱体は、ＰＴＣ（Positive Temperature Coefficient）ヒータと呼ばれる自己温度制御発熱体が好ましい。ＰＴＣヒータは、例えばチタン酸バリウムに添加物を加えたセラミックスからなり、通電により発熱するとともに所定温度に達すると抵抗値が急激に増加して電流を流し続けても所定の発熱温度を維持する性質を有している。
【００１７】
また、加熱器１６の発熱体としては、ポリエチレン、ポリプロピレン、ポリフッ化ビニリデン、ポリエチレンテレフタレート又はそれらの共重合体等の結晶性樹脂に、カーボンブラック、グラファイト等の導電性粒子を配合させ、内部に電極を配した自己温度制御ヒータ等でもよい。また加熱器取付座付き蓋体１０は、送水ポンプ３０に加熱の必要がないと判断される場合には、加熱器１６を収納室２２から取り外してもよい。加熱器取付座付き蓋体１０は、図５に示す送水ポンプ３０の吐出口３８に固定されている。
【００１８】
送水ポンプ３０は、図５に示すようにポンプ本体部３２と、駆動モータ３４とを備え、吸入口（連結口）３６と吐出口３８と第２吐出口（連結口）３９がポンプ本体部３２に設けられている。吸入口３６には、給水用配管が接続し、第２吐出口３９には、送水用配管４０が接続されている。
【００１９】
給水用配管や送水用配管４０には、送水用配管４０等の端部から外方に広がった概ね菱形の取付片（フランジ）４６が形成されている。送水用配管４０の取付片４６は、第２吐出口３９にボルト５０で取り付けられ、送水用配管４０を第２吐出口３９に連結させている。
【００２０】
吸入口３６と吐出口３８と第２吐出口３９は、取付片４６に対応して形成してあり、ポンプ本体部３２の内部に通じる通水路４２（図４参照）を有し、通水路４２の開口端の両端にボルトをねじ込むねじ孔４４（図１参照）が形成されている。
【００２１】
送水ポンプ３０は、ポンプ本体部３２が駆動モータ３４で駆動されると吸入口３６から水を吸引し、吐出口３８が加熱器取付座付き蓋体１０により閉塞されているので、第２吐出口３９を通して送水用配管４０へ水を吐出する。なお、本発明に用いられる送水ポンプとしては、上記送水ポンプ３０に限定されるものではない。
【００２２】
次に、加熱器取付座付き蓋体１０の作用、効果について説明する。加熱器取付座付き蓋体１０は、図１に示すように台座部１２のボルト孔１８に通したボルト５２を吐出口３８のねじ孔４４にねじ込み、パッキン４１を介して吐出口３８に取り付ける。台座部１２は、吐出口３８に液密な状態で取り付けられ、これにより吐出口３８は閉塞される。そして、必要に応じてボルト５２を外し、加熱器取付座付き蓋体１０に代えて吐出口３８に送水用配管４０を取り付けることができる。
【００２３】
また、冬季等、内部の水の凍結が考慮されるときには、取付座１４の収納室２２に加熱器１６を組み付け、電源に接続させる。温度センサが検出した水温、あるいは気温が所定温度まで低下すると、加熱器１６への通電が開始される。通電により加熱器１６は発熱し、加熱器１６で発生した熱は取付座１４を通して通水路４２内の水に伝達される。取付座１４は、通水路４２の内部に挿入されているので、これにより、送水ポンプ３０内の水の温度が上昇し、内部での水の凍結が防止される。そして、温度センサによる検出温度と閾値とを比較し、通電が適宜オンオフがなされる。
【００２４】
したがって、加熱器取付座付き蓋体１０は、送水ポンプ３０へ容易に取り付けることができ、吐出口３８等に取り付け、加熱器１６の有無にかかわらず吐出口３８を確実に閉塞できる。そして、配管の接続を変更するときは、吐出口３８等から取り外し、他の連結口に付け替えることができる。
【００２５】
凍結が考慮されるときには、収納室２２に加熱器１６を組み付け通電することにより、吐出口３８を通して内部の水を加熱し、凍結防止ができる。吐出口３８に取り付けるため、外枠体等の材質、金属や合成樹脂等を問わず、確実に送水ポンプ３０の内部での水の凍結を防止できる。また加熱器１６の発熱体をＰＴＣヒータとすることにより、制御回路や温度センサ等を設けることなく、自動温度制御が可能となる。
【００２６】
これによれば構成が簡易で、新たな部品や加工等を必要とせず、送水ポンプの連結口に取り付けて連結口を閉塞ができ、かつ取付座に取り付けた加熱器により、送水ポンプに合成樹脂材が使用されていても内部の水の凍結防止が可能となる。
【００２７】
なお加熱器取付座付き蓋体１０は、金属製でなく、耐熱性合成樹脂、例えばＰＰＳ（ポリフェニレンサルファイド）樹脂等で形成してもよい。
【００２８】
次に、第２の実施形態にかかる加熱器取付座付き蓋体１１について説明する。図６、図７に、加熱器取付座付き蓋体１１を示す。加熱器取付座付き蓋体１１は、取付座１５を除き、加熱器取付座付き蓋体１０と同等の構成を有している。したがって、加熱器取付座付き蓋体１０と同一の部材には同一の符号を付し、その詳細な説明は省略する。取付座１５は、外周面に突条１７が形成されている。突条１７は、取付座１５の長手方向に複数形成されており、これにより取付座１５の断面外周に凹凸が形成されている。
【００２９】
加熱器取付座付き蓋体１１は、取付座１５に突条１７が形成されていることから表面積が増加し、加熱器１６で発生した熱が通水路４２内の水に効率よく伝達される。なお、突条１７は取付座１５の長手方向に限らず、周方向に形成されていてもよい。また突条１７でなく、凹凸により取付座１５の表面積が拡大されれば、半球状その他の形状の突部、もしくは凹部を取付座１５に形成してもよい。
【００３０】
これによれば加熱器取付座付き蓋体１０と同様の効果が得られるとともに、加熱器１６で発生した熱が通水路４２内の水に効率よく伝達される。
【００３１】
次に、第３の実施形態にかかる加熱器取付座付き蓋体１３について説明する。図８、図９に、加熱器取付座付き蓋体１３を示す。加熱器取付座付き蓋体１３は、取付座１９を除き、加熱器取付座付き蓋体１０と同等の構成要素を有している。したがって、加熱器取付座付き蓋体１０と同一の部材には同一の符号を付し、その詳細な説明は省略する。取付座１９は、台座部１２の中心より下方に位置をずらした位置に取り付けられている。図９に、加熱器取付座付き蓋体１３を吐出口３８に取り付けた状態を示す。
【００３２】
加熱器取付座付き蓋体１３は、取付座１９が、台座部１２の中心より下方に設けられていることから、吐出口３８に加熱器取付座付き蓋体１３を取り付けると、通水路４２の下方に取付座１９が位置する。これにより、取付座１９から熱を受けた水が通水路４２内で上昇し対流を発生させ、通水路４２内の水への取付座１９の熱の伝達が効率よく行われる。
【００３３】
これによれば加熱器取付座付き蓋体１０と同様の効果が得られるとともに、通水路４２内の水への取付座１９の熱の伝達が効率よく行われる。
【００３４】
次に、第４の実施形態にかかる加熱器取付座付き蓋体２１について説明する。図１０〜図１２に、加熱器取付座付き蓋体２１を示す。加熱器取付座付き蓋体２１は、取付座１４の下方に水抜き孔２３を備えている以外、加熱器取付座付き蓋体１０と同等の構成要素を有している。したがって、加熱器取付座付き蓋体１０と同一の部材には同一の符号を付し、その詳細な説明は省略する。水抜き孔２３は、台座部１２を貫通して形成されており、通常は図１２に示すように止めねじ２５がねじ込まれて封止されている。
【００３５】
加熱器取付座付き蓋体２１を、吐出口３８に取り付けた状態を図１２に示す。水抜き孔２３は通水路４２に連通し、止めねじ２５を取り外すことにより、通水路４２内の水を水抜き孔２３を通して外部に放出できる。これにより、加熱器１６で加熱を行って凍結を防止することに加え、送水ポンプ３０を使用しない場合には、止めねじ２５を外して内部の水を排出し、送水ポンプ３０内での水の凍結を防止することもできる。
【００３６】
これによれば加熱器取付座付き蓋体１０と同様の効果が得られるとともに、通水路４２内の水を水抜き孔２３を通して外部に放出できる。
【００３７】
なお、本発明は前記実施の形態に限定されるものではない。この他、本発明は、本発明の要旨を逸脱しない範囲で変形可能である。
【産業上の利用可能性】
【００３８】
本発明によれば、構成が簡易で、取り付けが容易にでき、製造コストが低く、また合成樹脂材が用いられた送水ポンプにも使用でき、確実に凍結を防止する加熱器取付座付き蓋体が提供できる。
【符号の説明】
【００３９】
１０…加熱器取付座付き蓋体、１２…台座部、１４…取付座、１６…加熱器、１７…突条、１８…ボルト孔、３０…送水ポンプ、３２…ポンプ本体部、３４…駆動モータ、３６…吸入口、３８…吐出口、４０…送水用配管、４２…通水路、４４…取付片、５０…ボルト孔、５２…ボルト。
【図１】
0005830279.tif 000002
【図２】
0005830279.tif 000003
【図３】
0005830279.tif 000004
【図４】
0005830279.tif 000005
【図５】
0005830279.tif 000006
【図６】
0005830279.tif 000007
【図７】
0005830279.tif 000008
【図８】
0005830279.tif 000009
【図９】
0005830279.tif 000010
【図１０】
0005830279.tif 000011
【図１１】
0005830279.tif 000012
【図１２】
0005830279.tif 000013